(57)【要約】【課題】小型軽量化を図った防塵眼鏡を提供する。【解決手段】透明な眼鏡部５の周囲を支持したフレーム本体７の周面に使用者に密着する可撓性の防塵部を備えると共に使用者に装着するためのテンプル１１を備えた防塵眼鏡であって、使用者の額に接触する防塵部２３の前記フレーム本体７からの使用者側への突出寸法よりも、使用者の鼻に接触する防塵部２７の前記フレーム本体７からの使用者側への突出寸法を大きく構成してあり、前記防塵部のフレーム本体７からの使用者側への突出寸法は、使用者の鼻に接触する部分から頬に接触する部分２９を経て目尻の側方に接触する部分２５に至るに従って次第に小さくなる。そして、使用者の鼻に接触する部分の逆Ｖ字形状の頂部１９Ｔは、左右のテンプル取付部９の高さ位置にほぼ等しい高さ位置である。【選択図】図３
2010032745.tif 000002
【特許請求の範囲】
【請求項１】
透明な眼鏡部の周囲を支持したフレーム本体の周面に使用者に密接する可撓性の防塵部を備えると共に使用者に装着するためのテンプルを備えた防塵眼鏡であって、使用者の額に接触する防塵部の前記フレーム本体からの使用者側への突出寸法よりも、使用者の鼻に接触する防塵部の前記フレーム本体からの使用者側への突出寸法を大きく構成してあることを特徴とする防塵眼鏡。
【請求項２】
請求項１に記載の防塵眼鏡において、前記防塵部のフレーム本体からの使用者側への突出寸法は、使用者の鼻に接触する部分から頬に接触する部分を経て目尻の側方に接触する部分に至るに従って次第に小さくなることを特徴とする防塵眼鏡。
【請求項３】
請求項１又は２に記載の防塵眼鏡において、使用者の鼻に接触する部分の逆Ｖ字形状の頂部は、左右のテンプル取付部の高さ位置にほぼ等しい高さ位置であることを特徴とする防塵眼鏡。
【発明の詳細な説明】
【技術分野】
【０００１】
本発明は防塵眼鏡に係り、さらに詳細には、小型軽量化を図ることができると共に使用者の顔に対する密着性をよくして防塵性の向上を図ることのできる防塵眼鏡に関する。
【背景技術】
【０００２】
防塵眼鏡は、粉塵の多い環境で使用するのが普通であり、粉塵の多い現場においては、図５に示すように、作業者（使用者）Ｍは防塵マスク３を着用しているのが一般的である。また、従来においては、例えば近眼や老眼などを矯正するための眼鏡を着用した状態においても使用可能に構成してある。したがって、従来の防塵眼鏡１Ａは、全体的構成の上下寸法及び左右寸法が大きく、矯正用の眼鏡全体を覆うと共に防塵マスクの一部分を覆う構成であって、矯正用眼鏡を必要としない使用者にとっては大きく重いという問題があると共に、使用者に装着した防塵マスク３の上側部分に防塵眼鏡１Ａが重なるように装着して使用されるので、下方視野が悪いという問題がある。
【０００３】
また、従来の防塵眼鏡は、使用者の顔に密着するために、例えばゴムバンドなどを使用しているので圧着感があり、装着時の快適性向上には問題がある。そこで、前記ゴムバンドに代えてテンプルを備えた防塵眼鏡も開発されている。
【０００４】
ところで、矯正用の眼鏡を必要としない使用者を対象とした保護眼鏡の先行例として、例えば特許文献１がある。
【特許文献１】特開２００４−２１６０３４号公報
【発明の開示】
【発明が解決しようとする課題】
【０００５】
特許文献１に記載の眼鏡保護用カバー（保護眼鏡）は、左右両側にテンプルを備えた透明な第１カバー部材（眼鏡レンズに相当）の上部に、使用者の額部分に接触する第２カバー部材を備えた構成であって、保護眼鏡の第１カバーと使用者の額部分との密着性の向上が図られているものの、前記第１カバーの下部側と使用者の頬部分との間には間隙を有するものであり、防塵効果には問題がある。また、使用者が防塵マスクを着用している場合に関しては何等記載されていない。
【課題を解決するための手段】
【０００６】
本発明は、前述したごとき従来の問題に鑑みてなされたもので、透明な眼鏡部の周囲を支持したフレーム本体の周面に使用者に密接する可撓性の防塵部を備えると共に使用者に装着するためのテンプルを備えた防塵眼鏡であって、使用者の額に接触する防塵部の前記フレーム本体からの使用者側への突出寸法よりも、使用者の鼻に接触する防塵部の前記フレーム本体からの使用者側への突出寸法を大きく構成してあることを特徴とするものである。
【０００７】
また、前記防塵眼鏡において、前記防塵部のフレーム本体からの使用者側への突出寸法は、使用者の鼻に接触する部分から頬に接触する部分を経て目尻の側方に接触する部分に至るに従って次第に小さくなることを特徴とするものである。
【０００８】
また、前記防塵眼鏡において、使用者の鼻に接触する部分の逆Ｖ字形状の頂部は、左右のテンプル取付部の高さ位置にほぼ等しい高さ位置であることを特徴とするものである。
【発明の効果】
【０００９】
本発明によれば、防塵眼鏡の小型軽量化を図ることができると共に、使用者の額に接触する部分の防塵部よりも鼻に接触する部分の防塵部の突出寸法を大きくしてあるので、鼻に接触する部分の逆Ｖ字形状の頂部を、使用者の鼻尖よりも上方に大きく離れた位置において鼻に接触する構成とすることができ、使用者が防塵マスクを装着している場合であっても何等の問題を生じることなく防塵効果を向上することができる。
【発明を実施するための最良の形態】
【００１０】
図１，２を参照するに、本発明の実施形態に係る防塵眼鏡１は、作業者（使用者）Ｍが防塵マスク３を装着している場合、この防塵マスク３と重なり合うことなく、防塵マスク３よりも上側位置において使用者に装着して使用されるものであって、透明な眼鏡部５の周縁部を支持したフレーム本体７を備えている。このフレーム本体７の左右両側部にはテンプル取付部９が備えられており、この左右のテンプル取付部９には、左右のテンプル１１が傾斜角を調節可能かつ折りたたみ自在に取付けてある。なお、眼鏡において、テンプル１１の傾斜角を調節する構成やヒンジを介してテンプル１１を折りたたむ構成は周知構成であるから、前記テンプル取付部９に対するテンプル１１の取付け構造についての詳細な説明は省略する。
【００１１】
前記フレーム本体７は、前記左右の眼鏡部５の上縁部を支持しかつ使用者の額に対応する上部フレーム１３をほぼ水平に備えており、この上部フレーム１３の左右両側部には、使用者の目尻の側方位置に対応する側方フレーム１５が一体に備えられている。そして、この左右の側方フレーム１５の内側において前記眼鏡部５の末端部に前記テンプル取付部９が一体的に備えられている。さらに、前記上部フレーム１３の左右方向の中央部には垂下フレーム１７が一体に備えられており、この垂下フレーム１７には、逆Ｖ字形状に形成したＶ字フレーム１９が一体に備えられている。
【００１２】
前記Ｖ字フレーム１９は下部側の間隔が次第に広がる構成であって、Ｖ字フレーム１９における左右の下端部１９Ｅは、使用者の目の下側において盛上がっている部分、すなわち涙袋の下側において盛上がっている頬骨に対応した下部フレーム２１の内端側と一体に接続してある。そして前記下部フレーム２１の外端側は前記側方フレーム１５に一体に接続してある。前記垂下フレーム１７と前記Ｖ字フレーム１９との接続部すなわちＶ字フレーム１９の円弧状の頂部１９Ｔは、使用者の左右の目の間であって鼻の鼻根に対応するように設けられている。
【００１３】
前記説明より理解されるように、左右の眼鏡部５は、上部フレーム１３，側方フレーム１５，垂下フレーム１７，Ｖ字フレーム１９及び下部フレーム２１によって周縁部を支持されているものである。なお、垂下フレーム１７を省略して左右の眼鏡部５を一体化した構成とすることも可能である。
【００１４】
前記防塵眼鏡１において、前記フレーム本体７における上部フレーム１３の内側部すなわち上部フレーム１３が防塵眼鏡１の装着者に対向する対向面の部分には、当該防塵眼鏡１を使用者に装着したときに使用者の額に接触する上部防塵部２３（図３参照）が前記上部フレーム１３から内方向（使用者側方向）へ突出して備えられている。そして側方フレーム１５の内側部には前記上部防塵部２３に連続した側部防塵部２５が上部防塵部２３と同程度に内方向へ突出して備えられている。前記Ｖ字フレーム１９の内側部には、前記上部防塵部２３よりも内方向への突出寸法が大きなＶ字状防塵部２７が備えられている。
【００１５】
このＶ字状防塵部２７は、前記下部フレーム２１の内側に内方向へ突出して備えた下部防塵部２９と連続して一体に備えられている。そして、前記Ｖ字状防塵部２７から前記下部防塵部２９を経て前記側部防塵部２５へ至るに従って下部防塵部２９の内方向への突出寸法は、図３に示すように次第に小さくなるように形成してある。すなわち前記フレーム本体７の内側周面に環状に設けた前記防塵部（上部防塵部２３，側部防塵部２５，Ｖ字状防塵部２７及び下部防塵部２９の全体を含んだ防塵部）は、柔軟性かつ弾力性を備えた樹脂により構成してあって、防塵眼鏡１を使用者に装着したとき、使用者の顔の頬骨などの凹凸に対応して接触し密着するものである。
【００１６】
前記防塵部における上部防塵部２３は、防塵眼鏡１を使用者に装着したとき、使用者の額に接触する部分であり、側部防塵部２５は使用者の目尻の側方位置において顔に接触するものである。そして、下部防塵部２９は涙袋の下方において頬骨部分に接触するものであり、Ｖ字状防塵部２７の頂部２７Ｔは、使用者の目と目の間の鼻根に対応する部分であるから、図４（Ａ）に示すように、前記上部防塵部２３に比較してフレーム本体７からの内側方向（図４（Ａ）において右方向）への突出寸法を大きく構成してある。そして、前記頂部２７Ｔから連続したＶ字形状の防塵部２７は鼻筋の両側において鼻筋が盛上がる境界部分付近に接触するものであるから、前記頂部２７Ｔとほぼ等しい突出寸法に形成してある。
【００１７】
前記Ｖ字フレーム１９の下端部１９Ｅに対応したＶ字状防塵部２７の下端部２７Ｅは下部防塵部２９と接続する部分であって、下部防塵部２９は、前記下端部２７Ｅとの接続部付近から側部防塵部２５に至るに従って内方向への突出寸法が次第に小さくなるように、下部防塵部２９の顔との接触部は外方向凸状に湾曲した接触面に形成してある。なお、前記下部防塵部２９のフレーム本体７からの内側方向への突出寸法は、図４（Ｂ），（Ｃ）に示すように、上下に対応した上部防塵部２３の内側方向への突出寸法とほぼ等しく形成してある。
【００１８】
前記構成において、使用者（作業者）が図１，２に示すように、防塵マスク３を装着した状態において防塵眼鏡１を装着すると、防塵眼鏡１におけるＶ字フレーム１９の下端部１９Ｅが前記防塵マスク３よりも上方において顔に接触するので、前記防塵マスク３に防塵眼鏡１が重なり合うようなことがないものである。したがって、防塵眼鏡１の下部側が防塵マスク３によって持ち上げられるようなことがなく、下方向の視野を阻害するようなことがないものである。
【００１９】
そして、前記Ｖ字フレーム１９に対応したＶ字状防塵部２７は、上部防塵部２３のフレーム本体７からの内側方向への突出寸法より大きな突出寸法に形成してあって、フレーム本体７におけるＶ字フレーム１９と使用者の顔の表面との間の間隙を閉塞するので、フレーム本体７の全周に亘って顔と接触することができ、防塵効果が向上するものである。
【００２０】
また、使用者の額に密着する上部防塵部２３のフレーム本体７からの使用者側への突出寸法よりも、使用者の鼻に密着するＶ字状防塵部２７の前記フレーム本体７からの使用者側への突出寸法を大きく構成してあるので、使用者の額と鼻根付近の凹凸の差（高低差）を補うことができる。したがって、フレーム本体７における上部フレーム１３と下部フレーム２１とをほぼ同一垂直面に保持することができ、フレーム本体７における上部フレーム１３が下部フレーム２１よりも大きく前方向に突出した状態に傾斜するようなことがないものである。
【００２１】
以上のごとき説明より理解されるように、前記構成によれば、防塵眼鏡１の小型軽量化を図ることができ、かつ防塵マスク３を装着した状態であっても防塵マスク３に重なることなく防塵眼鏡１を使用することができ、前述したごとき従来の問題を解消することができるものである。
【図面の簡単な説明】
【００２２】
【図１】防塵マスクと共に本発明の実施形態に係る防塵眼鏡とを装着した状態を示す正面説明図である。
【図２】斜め前方向から見た斜視説明図である。
【図３】防塵眼鏡を背面側から見た斜視説明図である。
【図４】図３におけるＡ−Ａ，Ｂ−Ｂ，Ｃ−Ｃの切断端面説明図である。
【図５】従来の防塵眼鏡と防塵マスクとの関係を示す説明図である。
【符号の説明】
【００２３】
１    防塵眼鏡
３    防塵マスク
５    眼鏡部
７    フレーム本体
９    テンプル取付部
１１    テンプル
１３    上部フレーム
１５    側方フレーム
１７    垂下フレーム
１９    Ｖ字フレーム
１９Ｅ    下端部
１９Ｔ    頂部
２１    下部フレーム
２３    上部防塵部
２５    側部防塵部
２７    Ｖ字状防塵部
２７Ｅ    下端部
２７Ｔ    頂部
２９    下部防塵部
【図１】
2010032745.tif 000003
【図２】
2010032745.tif 000004
【図３】
2010032745.tif 000005
【図４】
2010032745.tif 000006
【図５】
2010032745.tif 000007